(57)【要約】【課題】特定のフィルムを用いた写真撮影における撮影倍率の情報を提供できる撮像装置を得る。【解決手段】撮像装置１では、撮影レンズ３にクローズアップレンズ６が装着された場合、その種類を装着検知部２８で検出し装着レンズＬＵＴ２３ａを参照することで焦点距離の情報を取得する。また、本撮影前のライブビュー表示時に距離検出部２９で検出される撮影距離の情報と、撮影レンズ３の焦点距離の情報とを取得する。以上のように取得した各情報に基づき、演算部２１において例えば１３５フォルムに換算した撮影倍率を算出し電子ファインダ１７等にライブビュー画像とともに表示する。これにより、特定のフィルムを用いる写真撮影における撮影倍率の情報を撮影者に提供できることとなる。【選択図】図３
2006215327.tif 000002
【特許請求の範囲】
【請求項１】
撮像装置であって、
(a)撮影光学系を介して被写体を撮像し、被写体画像を取得する撮像素子と、
(b)前記被写体画像を表示可能な表示手段と、
(c)特定のフィルムを基準とした撮影倍率を算出する算出手段と、
(d)撮影準備状態において前記撮影倍率を前記表示手段に表示させる表示制御手段と、
を備えることを特徴とする撮像装置。
【請求項２】
請求項１に記載の撮像装置において、
前記特定のフィルムは、１３５フィルムであることを特徴とする撮像装置。
【請求項３】
請求項１または請求項２に記載の撮像装置において、
前記表示制御手段は、
(d-1)被写体に対する近接撮影時のみ前記撮影倍率を表示させる手段、
を有することを特徴とする撮像装置。
【請求項４】
請求項１ないし請求項３のいずれかに記載の撮像装置において、
前記撮影光学系にはアタッチメントレンズが装着可能であり、
前記算出手段は、
(c-1)前記撮影光学系に装着されたアタッチメントレンズの情報を取得する手段と、
(c-2)前記アタッチメントレンズの情報に基づき、前記撮影倍率を算出する手段と、
を有することを特徴とする撮像装置。
【請求項５】
請求項４に記載の撮像装置において、
前記アタッチメントレンズは、クローズアップレンズであることを特徴とする撮像装置。
【請求項６】
請求項４または請求項５に記載の撮像装置において、
(e)被写体までの撮影距離の情報を取得する距離検出手段、
をさらに備え、
前記算出手段は、
(c-3)前記アタッチメントレンズの焦点距離の情報と前記撮影光学系の焦点距離の情報と前記撮影距離の情報とに基づき、前記撮影倍率を算出する倍率算出手段、
を有することを特徴とする撮像装置。
【請求項７】
請求項６に記載の撮像装置において、
前記倍率算出手段は、
前記撮影光学系の主点と前記アタッチメントレンズの主点との距離情報にも基づき、前記撮影倍率を算出する手段、
を有することを特徴とする撮像装置。
【請求項８】
請求項６または請求項７に記載の撮像装置において、
(f)自動合焦を行うオートフォーカス手段、
をさらに備え、
前記距離検出手段は、
(e-1)前記オートフォーカス手段による合焦後に前記撮影距離の情報を取得する手段、
を有することを特徴とする撮像装置。
【請求項９】
請求項６または請求項７に記載の撮像装置において、
(g)フォーカス状態の手動設定が可能なマニュアルフォーカス手段、
をさらに備え、
前記距離検出手段は、
(e-2)前記マニュアルフォーカス手段での設定に基づき前記撮影距離の情報を取得する手段、
を有することを特徴とする撮像装置。
【請求項１０】
請求項１ないし請求項９のいずれかに記載の撮像装置において、
(h)前記撮影素子によって撮影された画像とともに前記撮影倍率を所定の記録手段に記録させる記録制御手段、
をさらに備えることを特徴とする撮像装置。
【発明の詳細な説明】
【技術分野】
【０００１】
本発明は、撮影光学系を介して被写体を撮像し、被写体画像を取得する撮像装置に関する。
【背景技術】
【０００２】
銀塩カメラにおいては、被写体の大きさを推定するためにスケールをフィルムに写し込む技術がある（特許文献１、特許文献２参照）。
【０００３】
一方、歯科医療における歯列等の写真撮影では、被写体の大きさを推定できるように例えば１３５フィルムを用いた定倍率の撮影が行われている。
【０００４】
【特許文献１】特開平６−１９４７３３号公報
【特許文献２】特開平７−２９５０６４号公報
【発明の開示】
【発明が解決しようとする課題】
【０００５】
しかしながら、上記の歯科医療での撮影をデジタルカメラ(撮像装置)で行う場合には、１３５フィルムと大きさやアスペクト比が異なる撮像素子を使用して被写体画像を取得するため、１３５フィルムを用いる写真撮影での撮影倍率を的確に把握し、１３５フィルムと同等の定倍率撮影を行うのは難しい。
【０００６】
特に、歯列等を撮影するためには近接撮影となるが、デジタルカメラで近接撮影を行う場合にはワーキングディスタンス確保の観点からクローズアップレンズの装着が望ましい。しかし、クローズアップレンズが装着されるとレンズ全体の焦点距離が変化するため、１３５フィルムと同様の定倍率撮影を行うのは一層困難となる。
【０００７】
本発明は、上記課題に鑑みてなされたものであり、特定のフィルムを用いた写真撮影における撮影倍率の情報を提供できる撮像装置を得ることを目的とする。
【課題を解決するための手段】
【０００８】
上記の課題を解決するため、請求項１の発明は、撮像装置であって、(a)撮影光学系を介して被写体を撮像し、被写体画像を取得する撮像素子と、(b)前記被写体画像を表示可能な表示手段と、(c)特定のフィルムを基準とした撮影倍率を算出する算出手段と、(d)撮影準備状態において前記撮影倍率を前記表示手段に表示させる表示制御手段とを備える。
【０００９】
また、請求項２の発明は、請求項１の発明に係る撮像装置において、前記特定のフィルムは、１３５フィルムである。
【００１０】
また、請求項３の発明は、請求項１または請求項２の発明に係る撮像装置において、前記表示制御手段は、(d-1)被写体に対する近接撮影時のみ前記撮影倍率を表示させる手段を有する。
【００１１】
また、請求項４の発明は、請求項１ないし請求項３のいずれかの発明に係る撮像装置において、前記撮影光学系にはアタッチメントレンズが装着可能であり、前記算出手段は、(c-1)前記撮影光学系に装着されたアタッチメントレンズの情報を取得する手段と、(c-2)前記アタッチメントレンズの情報に基づき、前記撮影倍率を算出する手段とを有する。
【００１２】
また、請求項５の発明は、請求項４の発明に係る撮像装置において、前記アタッチメントレンズは、クローズアップレンズである。
【００１３】
また、請求項６の発明は、請求項４または請求項５の発明に係る撮像装置において、(e)被写体までの撮影距離の情報を取得する距離検出手段をさらに備え、前記算出手段は、(c-3)前記アタッチメントレンズの焦点距離の情報と前記撮影光学系の焦点距離の情報と前記撮影距離の情報とに基づき、前記撮影倍率を算出する倍率算出手段を有する。
【００１４】
また、請求項７の発明は、請求項６の発明に係る撮像装置において、前記倍率算出手段は、前記撮影光学系の主点と前記アタッチメントレンズの主点との距離情報にも基づき、前記撮影倍率を算出する手段を有する。
【００１５】
また、請求項８の発明は、請求項６または請求項７の発明に係る撮像装置において、(f)自動合焦を行うオートフォーカス手段をさらに備え、前記距離検出手段は、(e-1)前記オートフォーカス手段による合焦後に前記撮影距離の情報を取得する手段を有する。
【００１６】
また、請求項９の発明は、請求項６または請求項７の発明に係る撮像装置において、(g)フォーカス状態の手動設定が可能なマニュアルフォーカス手段をさらに備え、前記距離検出手段は、(e-2)前記マニュアルフォーカス手段での設定に基づき前記撮影距離の情報を取得する手段を有する。
【００１７】
また、請求項１０の発明は、請求項１ないし請求項９のいずれかの発明に係る撮像装置において、(h)前記撮影素子によって撮影された画像とともに前記撮影倍率を所定の記録手段に記録させる記録制御手段をさらに備える。
【発明の効果】
【００１８】
請求項１ないし請求項１０の発明によれば、特定のフィルムを基準とした撮影倍率を算出し、この撮影倍率を撮影準備状態において表示手段に表示させるため、特定のフィルムを用いた写真撮影における撮影倍率の情報を本撮影前に提供できる。
【００１９】
特に、請求項２の発明においては、特定のフィルムが１３５フィルムであるため、１３５フィルムの場合の撮影倍率情報を提供できるので、最も一般的に使われてきた倍率表示を行える。
【００２０】
また、請求項３の発明においては、被写体に対する近接撮影時のみ撮影倍率を表示させるため、撮影倍率の情報が有効となる近接撮影時に適切な情報提供を行える。
【００２１】
また、請求項４の発明においては、撮影光学系に装着されたアタッチメントレンズの情報に基づき撮影倍率を算出するため、アタッチメントレンズが装着される場合でも、精度良く撮影倍率を算出できる。
【００２２】
また、請求項５の発明においては、アタッチメントレンズがクローズアップレンズであるため、近接撮影を容易に行える。
【００２３】
また、請求項６の発明においては、アタッチメントレンズの焦点距離の情報と撮影光学系の焦点距離の情報と撮影距離の情報とに基づき撮影倍率を算出するため、アタッチメントレンズが装着される場合でも、精度の良い撮影倍率を簡易に求められる。
【００２４】
また、請求項７の発明においては、撮影光学系の主点とアタッチメントレンズの主点との距離情報にも基づき撮影倍率を算出するため、アタッチメントレンズ装着時に撮影倍率を一層精度良く算出できる。
【００２５】
また、請求項８の発明においては、オートフォーカス手段による合焦後に撮影距離の情報を取得するため、正確な撮影距離の情報を取得できる。
【００２６】
また、請求項９の発明においては、マニュアルフォーカス手段での設定に基づき撮影距離の情報を取得するため、撮影距離の情報を適切に取得できる。
【００２７】
また、請求項１０の発明においては、撮像素子によって撮影された画像とともに撮影倍率を所定の録手段に記録させるため、撮影画像に関連付けて撮影倍率を記録できる。
【発明を実施するための最良の形態】
【００２８】
図１および図２は、本発明の実施形態に係る撮像装置１の概略構成を示す斜視図である。図１に示すように、デジタルカメラとして構成される撮像装置１のカメラ本体２は、その前面側に撮影レンズ３が配置され、上面側にシャッタボタン４と、外部フラッシュを接続するためのフラッシュ接続部５とが配置されている。
【００２９】
撮影レンズ３は一般的な被写体を撮影するための撮影光学系として機能し、その撮影可能範囲は、撮影レンズ前方に数十ｃｍ程度である最近接位置から無限遠方までの範囲となっている。撮影レンズ３の内部には焦点調節を行うためのフォーカシングレンズ３１(図３)とズームレンズ３２(図３)と、絞り板とが設けられており、フォーカシングレンズ３１を光軸Ｌに沿って移動させることにより最近接位置から無限遠方までの任意の位置にある被写体を良好に合焦状態に導くことができる。また、ズームレンズ３２を光軸Ｌに沿って移動させることにより、撮影レンズ３の焦点距離が変化して撮影倍率を変更できる。
【００３０】
撮影レンズ３にはフォーカスリング３ａが設けられており、該フォーカスリング３ａを撮影者が手動操作で回動させることにより、撮影レンズ３内のフォーカシングレンズ３１を光軸Ｌに沿って移動させることができ、フォーカス状態の手動設定が可能となる（マニュアルフォーカス機能）。また撮像装置１は、オートフォーカス機能も備えており、例えば撮影者がシャッタボタン４を半押し状態にしたときに、オートフォーカス制御が開始されて、自動合焦つまり自動的に被写体像が合焦状態に導かれる。なお、オートフォーカス（ＡＦ）モードとマニュアルフォーカス（ＭＦ）モードとは、操作部２４(図３)に対する操作によって切替え可能となっている。
【００３１】
シャッタボタン４は、半押し(Ｓ１オン)状態と全押し(Ｓ２オン)状態との２段階を区別して検知可能な押し込みスイッチであり、撮影準備状態、例えば半押し状態のときに上記のオートフォーカスを実行し、全押し状態のときに記録用画像を取得するための本撮影動作を開始する。上記の半押し状態のときには、ＡＦ、ＡＥ動作を行う。図３に示す電子ファインダ１７や液晶ディスプレイ１８に被写体画像を表示するライブビュー表示（プレビュー表示）は電源投入時から行われる。
【００３２】
撮影レンズ３の前端部（対物側端部）は、アタッチメントレンズであるコンバージョンレンズが装着可能なように構成されており、本実施形態においてはクローズアップレンズ６が撮影レンズ３の前端部に装着される。クローズアップレンズ６は、近距離撮影を行うための光学レンズであり、撮像装置１の撮影可能範囲を、数ｃｍ程度から数ｍ程度までの近距離領域（マクロ領域）に変換する光学系である。そのため、クローズアップレンズ６を撮影レンズ３に装着することにより、撮像装置１は上記の近距離領域内にある被写体については良好に合焦状態に導くことができるが、近距離領域外にある被写体についてはフォーカシングレンズ３１を移動させても合焦状態を実現することができなくなる。換言すれば、クローズアップレンズ６を撮影レンズ３に装着することにより、撮像装置１の光学系は近距離撮影に適した構成となる。
【００３３】
そしてクローズアップレンズ６の前端部は、近距離撮影用のフラッシュ発光装置７を装着可能なように構成されている。フラッシュ発光装置７は、フラッシュを発光する発光部７ａと、クローズアップレンズ６の前端部に装着されるリング部材７ｂと、該リング部材７ｂに接続され、発光部７ａを支持するアーム７ｃとを備えて構成される。図１及び図２に示すように、複数の発光部７ａが光軸Ｌに対して対称な位置に配置され、各発光部７ａの光軸Ｌからの距離が等しくなるように構成されている。また、発光部７ａとアーム７ｃとは、回動部材７ｄを介して連結されており、光軸Ｌに対する発光部７ａの設置角度が任意に調整できる構造となっている。
【００３４】
また、カメラ本体２のフラッシュ接続部５には、フラッシュ発光装置７の発光制御を行うためのフラッシュ制御部８が装着される。フラッシュ制御部８には、発光部７ａに発光電力を供給するための電源などが内蔵されており、図２に示すようにフラッシュ制御部８と発光部７ａとがケーブル９を介して電気的に接続されることにより、フラッシュ制御部８が発光部７ａの発光制御を行えるようになる。
【００３５】
そして図２に示すように、撮影レンズ３に対してクローズアップレンズ６が装着され、クローズアップレンズ６に対してフラッシュ発光装置７が装着されるとともに、フラッシュ制御部８がカメラ本体２に取り付けられることにより、撮像装置１は近距離撮影においてフラッシュ撮影を行うことができるハードウェア構成となる。
【００３６】
なお、撮像装置１においてフラッシュ撮影を行う場合の制御方法として、調光制御とフラッシュマティック制御とがあり、撮像装置１にクローズアップレンズ６が取り付けられていないときには調光制御が採用され、例えば撮影前に発光部７ａのプリ発光を行ってその反射光を測定することにより、本撮影時におけるフラッシュの発光量が決定される。一方、撮像装置１にクローズアップレンズ６が取り付けられ、近距離領域にある被写体をフラッシュ撮影するときにはフラッシュマティック制御が採用され、例えば被写体までの距離に基づいてフラッシュの発光量が決定される。
【００３７】
図３は、撮像装置１の機能構成を示すブロック図である。本図については、クローズアップレンズ６、フラッシュ発光装置７及びフラッシュ制御部８がカメラ本体２に取り付けられた状態における撮像装置１の内部構成を示している。
【００３８】
上述のように、撮影レンズ３には、開口径を調整可能な絞り板３０と、撮像素子１０に結像される被写体像のフォーカス状態を調整するためのフォーカシングレンズ３１とズーミングを行うためのズームレンズ３２とが設けられている。撮像素子１０は、例えばアスペクト比４：３のＣＣＤイメージセンサとして構成されており、クローズアップレンズ６及び撮影レンズ３を介して入射する光を受光して電気的な画像信号を生成する。
【００３９】
撮像素子１０で取得された被写体画像の電気信号は、ＣＤＳ回路（相関二重サンプリング回路）１１において所定の信号処理が施された後、ＡＧＣ回路（オートゲインコントロール回路）１２において画像信号に対するゲイン付与が行われて、信号レベルが調整される。ＡＧＣ回路１２において適用されるゲインは、撮像素子１０の感度を調整するためのものであり、その値は撮影制御部２０によって設定される。そしてＡＧＣ回路１２で信号レベルの調整がなされた画像信号は、Ａ／Ｄ変換器１３においてアナログ信号からデジタル信号に変換された後、一時的に画像メモリ１４に格納される。
【００４０】
画像処理部１５は、例えばマイクロコンピュータとして働くＣＰＵおよびメモリを有し種々の画像処理を行えるように構成されており、画像処理された画像信号を、電子ファインダ１７、液晶ディスプレイ１８、メモリカード１９または撮影制御部２０に出力する。例えば、撮像装置１の背面側には、撮影者が画像の確認をできるように電子ファインダ１７や液晶ディスプレイ１８が設けられており、撮影して得られた画像をこれらの表示手段に表示するために、各表示手段での表示に適した画像処理が実行される。また、撮影動作によって取得された画像信号を、記録媒体(記録手段)として働くメモリカード１９に記録する際には、画像信号の圧縮処理等を行ったうえでメモリカード１９に記録する。さらに、オートフォーカス時には撮像素子１０から得られた画像から、所定のフォーカス領域に相当する部分画像を抽出し、撮影制御部２０に出力する。
【００４１】
画像処理部１５は、ＯＳＤ(オン・スクリーン・ディスプレイ)部１６を有しているが、このＯＳＤ部１６では、各種の文字や記号、フレーム等を生成し、表示画像の任意位置に重ねることが可能である。このＯＳＤ部３７により、図４に示すようにライブビュー画像ＰＩに撮影倍率の表示ＭＧを重畳させて電子ファインダ１７や液晶ディスプレイ１８に表示できることとなる(後で詳述)。
【００４２】
撮影制御部２０はマイクロコンピュータ等によって構成され、撮像装置１における撮影動作を統括的に制御するものであり、後述する撮影倍率を演算する演算部２１を有している。また、撮影制御部２０は、撮像装置１に対してクローズアップレンズ６が装着されていないときには、近接位置から無限遠方までの任意の位置にある被写体を最適な状態で撮影できるように制御する。一方、クローズアップレンズ６が撮像装置１に装着されたときには、クローズアップレンズ６によって規定される近距離領域内に位置する被写体を最適な状態で撮影できるように制御する。
【００４３】
また、撮影制御部２０は、オートフォーカス時には、フォーカシングレンズ３１を所定ピッチで移動させ、画像処理部１５から逐次入力する部分画像のコントラストを算出して、そのコントラストが最大となる位置を合焦位置として特定する。そして最終的にフォーカシングレンズ３１をその合焦位置に移動させることで、撮像素子１０に結像される被写体像を合焦状態に導く。
【００４４】
絞りドライバ２５は、撮影レンズ３に設けられている絞り板３０を駆動することにより、絞り板３０の開口径を調整するものであり、撮影制御部２０からの指令に基づいて絞り板３０を駆動する。
【００４５】
フォーカスモータ２６は、オートフォーカス制御時に、撮影レンズ３０に設けられているフォーカシングレンズ３１を光軸Ｌに沿って所定ピッチで移動させるものであり、撮影制御部２０から指令される移動方向及び移動量に基づいて、フォーカシングレンズ３１の駆動を行う。ただし、上述のように、フォーカシングレンズ３１は撮影者がフォーカスリング３ａをマニュアル操作することによっても光軸Ｌに沿った方向に移動する。
【００４６】
タイミングジェネレータ２７は、撮影制御部２０からの撮影指示に基づき、撮像素子１０に対して露光開始及び終了のタイミング信号を送出するものである。
【００４７】
装着検知部２８は、撮影レンズ３に対してコンバージョンレンズが装着されたことを検知する部位であり、レンズの装着を検知すると、例えばコンバージョンレンズに内蔵されるＲＯＭ(不図示)からレンズ固有の情報を読み出して装着レンズの種類等を特定する。そして、装着検知部２８において取得された情報は撮影制御部２０に送られる。
【００４８】
距離検出部２９は、フォーカシングレンズ３１による被写体のフォーカス状態に基づいて、被写体までの距離情報を生成するものである。具体的には、オートフォーカス若しくはマニュアルフォーカスでフォーカシングレンズ３１の位置が決定された場合、距離検出部２９は、そのレンズ位置から、撮影レンズ３の撮影可能範囲において被写体がどの位置にあるかを判定し、距離情報を生成する。そして距離検出部２９で得られた距離情報は撮影制御部２０に出力される。
【００４９】
操作部２４は、撮像装置１に対して撮影者が各種操作入力を行うための操作部材であり、上記シャッタボタン４を含む各種の操作ボタンを有しており、操作部２４を操作することによってズーミングや、撮影モード・再生モードの切替え、撮影倍率表示（後述）の設定などを行える。
【００５０】
メモリ２２は撮影制御部２０に用いられる制御データを格納する記憶手段であり、例えば、装着レンズＬＵＴ（ルックアップテーブル）２３ａや主点間距離ＬＵＴ２３ｂ(後述)が記憶されている。装着レンズＬＵＴ２３ａは、撮影レンズ３に装着されるコンバージョンレンズに関する情報をテーブルデータとして記憶するものであり、本実施形態ではクローズアップレンズ６に関する情報が記憶される。
【００５１】
＜撮影倍率の表示について＞
撮像装置１においては、操作部２４を操作して撮影倍率の表示機能を能動化させる場合には、図４のように１３５フィルムシステムに換算した撮影倍率の表示ＭＧをライブビュー画像ＰＩの表示に重畳させることができる。以下では、１３５フィルムに写った被写体像を基準とした撮影倍率の算出について説明する。
【００５２】
図５は、１３５フィルムシステムでの撮影倍率を説明するための概念図である。
【００５３】
１３５フィルムシステムでは、被写体からの光像がレンズを含む撮影光学系ＬＮによって縦２４ｍｍ×横３６ｍｍの１３５フィルムＦＭに結像されることで撮影が行われる。
【００５４】
ここで、水平方向に３６ｍｍの横幅を有する被写体ＳＢ１を１３５フィルムＦＭ一杯に結像させた場合には、１３５フィルムの横幅が被写体の横幅に対して等倍となるため、撮影倍率は等倍(「×１.０」)となる。一方、７２ｍｍの横幅を有する被写体ＳＢ２を１３５フィルムＦＭ一杯に結像させた場合には、１３５フィルムの横幅が被写体の横幅に対して１/２倍となるため、撮影倍率は１/２となる。
【００５５】
上記の１３５フィルムＦＭと撮像素子１０とは、そのサイズやアスペクト比が異なるため、撮像装置１において１３５フィルムシステムにおける撮影倍率の撮影を行うのは難しい。特に、クローズアップレンズ６がカメラ本体２に装着される場合には、撮影レンズ３のみならずクローズアップレンズ６の倍率（焦点距離）を考慮する必要があるため、一層困難となる。
【００５６】
そこで、撮像装置１においては、クローズアップレンズ６などのコンバージョンレンズがカメラ本体２に装着される場合でも、１３５フィルムシステムに換算した撮影倍率を表示して撮影者に有益な情報を本撮影前に提供できるようになっている。この撮影倍率の算出手順について、以下で詳しく説明する。
【００５７】
まず、撮像装置１では、ＡＦやＭＦによりピント合わせが行われると、距離検出部２９で撮影距離Ｘｃ(mm)の情報を取得するとともに、撮影レンズ３内のズームレンズ３２等の位置から求めた撮影レンズ３の焦点距離ｆｃ(mm)の情報を演算部２１が取得する。一方、装着検出部２８で検出した情報に基づき装着レンズＬＵＴ２３ａを参照して、装着されたクローズアップレンズ６の焦点距離ｆ(mm)の情報を演算部２１で取得しておく。
【００５８】
次に、演算部２１において、撮像素子１０における光電変換領域の横幅ａおよびデジタルズーム倍率ＤＺを次の式(１)に代入して撮影対象の被写体の横幅ｔを算出する。
【００５９】
【数１】
2006215327.tif 000003
【００６０】
ここで、ｍは撮像装置１の像倍率であるが、この像倍率ｍは撮影距離Ｘｃを利用して次の式(２)により計算する。
【００６１】
【数２】
2006215327.tif 000004
【００６２】
ここで、ｆｏは撮影レンズ３とクローズアップレンズ６との合焦点距離であり、Ｈは撮影レンズ３の主点とクローズアップレンズ６の主点との距離である。
【００６３】
上記の合焦点距離ｆｏは、演算部２１で取得した撮影レンズ３の焦点距離ｆｃとクローズアップレンズ６の焦点距離ｆとに基づき次の式(３)により算出する。
【００６４】
【数３】
2006215327.tif 000005
【００６５】
また、上式(２)、(３)の主点間距離Ｈについては、メモリ２２に記憶される主点間距離ＬＵＴ(図６)を用いて求められる。
【００６６】
具体的には、装着されるクローズアップレンズ６の焦点距離ｆと撮影レンズ３の焦点距離ｆｃとに基づき図６(ａ)に示すデータテーブルを参照してＨｎ(ｎ：整数)を求め、このＨｎと撮影距離Ｘｃとに基づき図６(ｂ)に示すデータテーブルを参照して主点間距離(mm)を算出する。例えば、ｆｃ＝２０ｍｍ、ｆ＝１０００ｍｍ、Ｘｃ＝３００ｍｍの条件では、主点間距離Ｈ＝１９９ｍｍが求まることとなる。なお、図６(ｂ)のデータテーブルでは、撮影距離が１００ｍｍ刻みとなっているが、これらの中間の撮影距離に該当する場合には、補間計算で主点間距離を算出するのが好ましい。
【００６７】
最後に、以上の式(１)〜(３)および主点間距離ＬＵＴ(図６)を用いて得られた被写体の横幅ｔを次の式(４)に代入することで、横幅３６ｍｍの１３５フィルムに換算した撮影倍率βが算出される。
【００６８】
【数４】
2006215327.tif 000006
【００６９】
なお、撮影倍率βについては、式(４)によって算出するのは必須でなく、例えばメモリ部２２に格納される図７のＬＵＴを参照して求めるようにしても良い。
【００７０】
上式(４)によって得られた撮影倍率βの情報は、演算部２１から画像処理部１５のＯＳＤ部１６に転送され、例えば図４に示す撮影倍率の表示ＭＧが行われることとなる。また、撮影された画像をメモリカード１９に記録する際には、撮影画像を含む画像ファイルのタグ部分に撮影倍率βの情報を記録する。
【００７１】
なお、撮影倍率βについては、例えば１/１０以上の撮影倍率となる近接撮影時のみ表示させるのが好ましい。特に、１/３以上の撮影倍率で表示させるのが好適である。
【００７２】
＜撮像装置１の動作＞
図８は、撮像装置１の基本的な動作を示すフローチャートである。
【００７３】
まず、操作部２４を撮影者が操作して撮影モードに設定する。これにより、電子ファインダ１７等で被写体を動画的態様で表示するライブビュー表示が開始される(ステップＳ１)。
【００７４】
ステップＳ２では、カメラ本体２に装着されたクローズアップレンズ６が装着検知部２８によって検知される。そして、装着レンズＬＵＴ２３ａを参照してクローズアップレンズ６の焦点距離ｆの情報を演算部２１が取得する。
【００７５】
ステップＳ３では、撮影者が操作部２４を操作することにより、撮影倍率表示が設定される。
【００７６】
ステップＳ４では、ＡＦモードに設定されているかを判定する。ここで、ＡＦモードに設定されている場合には、ステップＳ５に進み、ＡＦモードでなくＭＦモードに設定されている場合には、ステップＳ１０に進む。
【００７７】
ステップＳ５では、撮影レンズ３の焦点距離ｆｃの情報を演算部２１が取得する。
【００７８】
ステップＳ６では、シャッタボタン４が撮影者によって半押しされているかを判定する。ここで、半押しされている場合には、ステップＳ７に進み、半押しされていない場合には、ステップＳ５を繰り返す。
【００７９】
ステップＳ７では、撮像装置１においてＡＦ制御と露出を調整するＡＥ制御とを行う。
【００８０】
ステップＳ８では、距離検出部２９により検出された撮影距離Ｘｃの情報を演算部２１が取得する。このようにＡＦ制御(ステップＳ７)による合焦後に撮影距離Ｘｃの情報を取得すれば、正確な撮影距離の情報を得られることとなる。
【００８１】
ステップＳ９では、１３５フィルムに換算した撮影倍率を算出し、電子ファインダ１７や液晶ディスプレイ１８で例えば図４に示す撮影倍率の表示ＭＧを行う。すなわち、本撮影(ステップＳ１５)前のライブビュー表示状態（撮影準備状態）において撮影倍率βが表示される。この撮影倍率βについては、ステップＳ２で取得したクローズアップレンズ６の焦点距離ｆの情報と、ステップＳ５で取得した撮影レンズ３の焦点距離ｆｃの情報と、ステップＳ８で取得した撮影距離Ｘｃの情報とに基づき、上述した式(１)〜式(４)および図６のＬＵＴを用いて演算部２１で求められる。
【００８２】
ステップＳ１０では、上記のステップＳ５と同様に撮影レンズ３の焦点距離ｆｃの情報を演算部２１が取得する。
【００８３】
ステップＳ１１では、上記のステップＳ８と同様に撮影距離Ｘｃの情報を演算部２１が取得する。この際には、ＭＦモードにおけるフォーカス状態の設定に基づき距離検出部２９が撮影距離を検出することにより、撮影距離の情報を適切に取得できることとなる。
【００８４】
ステップＳ１２では、上記のステップＳ９と同様に１３５フィルムに換算した撮影倍率を算出し、電子ファインダ１７等で撮影倍率の表示ＭＧを行う。すなわち、本撮影前のライブビュー表示状態において撮影倍率βが表示される。この撮影倍率βについては、ステップＳ２で取得したクローズアップレンズ６の焦点距離ｆの情報と、ステップＳ１０で取得した撮影レンズ３の焦点距離ｆｃの情報と、ステップＳ１１で取得した撮影距離Ｘｃの情報とに基づき、上述した式(１)〜式(４)および図６のＬＵＴを用いて演算部２１で求められる。
【００８５】
ステップＳ１３では、シャッタボタン４が撮影者によって半押しされているかを判定する。ここで、半押しされている場合には、ステップＳ１４に進み、半押しされていない場合には、ステップＳ１０に戻る。
【００８６】
ステップＳ１４では、シャッタボタン４が撮影者によって全押しされているかを判定する。ここで、全押しされている場合には、ステップＳ１５に進み、全押しされていない場合には、ステップＳ４に戻る。
【００８７】
ステップＳ１５では、撮像素子１０を用いて被写体画像を取得する撮影動作を行う。
【００８８】
ステップＳ１６では、ステップＳ１５で撮影された画像とともに、上記のステップＳ９（Ｓ１２）で算出された撮影倍率βをメモリカード１９に記録する。
【００８９】
ステップＳ１７では、次の撮影を行うかを判定する。ここで、次の撮影を行う場合には、ステップＳ４に戻る。
【００９０】
以上の撮影装置１の動作により、被写体光像を露光する露光部に１３５フィルムを用いた場合の撮影倍率をライブビュー時に表示するため、特定のフィルムを用いた写真撮影における撮影倍率の情報を撮影者に本撮影前に提供できる。その結果、撮影画像では、被写体の大きさの推定が容易となる。
【００９１】
なお、撮像装置１においては、撮影倍率表示の設定(図８のステップＳ３)を行う場合に撮影倍率を画面に表示させるのは必須でなく、アスペクト比を３：２に選択した場合に自動的に撮影倍率を表示させるようにしても良い。
【００９２】
＜変形例＞
◎上記の実施形態においては、クローズアップレンズ６に関する情報が、装着レンズＬＵＴ２３ａとしてメモリ２２に格納されることを示したが、そのメモリ２２は、予めカメラ本体２に設けられるものであっても構わないし、クローズアップレンズ６に内蔵されるものであっても構わない。クローズアップレンズ６がメモリを内蔵する場合、クローズアップレンズ６が撮影レンズ３に対して装着されたときに、カメラ本体２とクローズアップレンズ６とが電気的に接続され、撮影制御部２０がクローズアップレンズ６内のメモリ２２に対してアクセス可能になる構成であればよい。
【００９３】
◎上記の実施形態においては、クローズアップレンズ６の装着等を装着検知部２８が自動判別する場合を例示したが、これに限定されるものではなく、例えば液晶ディスプレイ１８等にメニュー画面を表示して、撮影者が操作部２４を操作することによって撮影レンズ３にクローズアップレンズ６の装着や種類等の情報を手動入力するように構成してもよい。
【００９４】
◎上記の実施形態においては、図６に示す主点間距離ＬＵＴを用いて主点間距離を求めるのは必須でなく、図６(ａ)および図６(ｂ)に示すデータ群から得られる近似式を用いた計算により主点間距離を求めても良い。
【００９５】
◎上記の実施形態においては、被写体や撮像素子の横幅を基準に撮影倍率を算出するのは必須でなく、縦幅や対角長を基準に撮影倍率を算出するようにしても良い。
【００９６】
◎上記の実施形態においては、撮像素子で露出のコントロールを行っているが、これに限らずシャッター等の遮光部材でコントロールを行うようにしても良い。
【図面の簡単な説明】
【００９７】
【図１】本発明の実施形態に係る撮像装置１の概略構成を示す斜視図である。
【図２】撮像装置１の概略構成を示す斜視図である。
【図３】撮像装置１の機能構成を示すブロック図である。
【図４】撮影倍率の表示について説明するための図である。
【図５】１３５フィルムシステムでの撮影倍率を説明するための概念図である。
【図６】主点間距離ＬＵＴを示す図である。
【図７】撮影倍率と被写体幅との関係を規定するＬＵＴを示す図である。
【図８】撮像装置１の基本的な動作を示すフローチャートである。
【符号の説明】
【００９８】
１  撮像装置
２  カメラ本体
３  撮影レンズ
４  シャッタボタン
６  クローズアップレンズ
７  フラッシュ発光装置
１５  画像処理部
１６  ＯＳＤ部
１７  電子ファインダ
１８  液晶ディスプレイ
１９  メモリカード
２０  撮影制御部
２１  演算部
２３ａ  装着レンズＬＵＴ
２３ｂ  主点間距離ＬＵＴ
２８  装着検知部
２９  距離検出部
ＭＧ  撮影倍率表示
【図１】
2006215327.tif 000007
【図２】
2006215327.tif 000008
【図３】
2006215327.tif 000009
【図４】
2006215327.tif 000010
【図５】
2006215327.tif 000011
【図６】
2006215327.tif 000012
【図７】
2006215327.tif 000013
【図８】
2006215327.tif 000014